【事件の表示】
　平成１１年特許願第２０６７２５号「グラフィック及び文字混用ＬＣＤ駆動ＩＣ」拒絶査定不服審判事件〔平成１２年　４月　７日出願公開、特開２０００−　９８９８３〕について、次のとおり審決する。
【結　論】
　本件審判の請求は、成り立たない。
【理　由】
結論
　本件審判の請求は、成り立たない。
　
理由
１　手続の経緯
　本願は、平成１１年７月２１日（パリ条約による優先権主張　１９９８年９月１８日、大韓民国）の出願であって、平成１８年６月６日付け（同年６月１３日発送）で拒絶査定がされたところ、これに対して、平成１８年９月１２日に拒絶査定不服審判が請求されるとともに、同年９月２１日付けで明細書を補正対象とする手続補正書が提出されたものである。
　
２　平成１８年９月２１日付け手続補正についての補正却下の決定
　
［補正却下の決定の結論］
　平成１８年９月２１日付けの手続補正を却下する。
　
［理由］
（１）補正の内容
　平成１８年９月２１日提出の手続補正（以下、「本件補正」という。）は、補正前の特許請求の範囲の請求項１の記載
「【請求項１】　完成型文字のフォントデータを貯蔵する文字フォントＲＯＭと、
　前記文字フォントＲＯＭに貯蔵されたフォントデータに対応するアドレスを貯蔵する文字表示データＲＡＭと、
　グラフィックイメージデータを貯蔵するグラフィックイメージデータＲＡＭと、
　グラフィック及び文字に対する選択情報を貯蔵するプロパティレジスタと、
　前記文字フォントＲＯＭから出力されるフォントデータと前記グラフィックイメージデータＲＡＭから出力されるグラフィックイメージデータを受けて、前記プロパティレジスタの出力に応答してＬＣＤパネルに示される最終データを選択して出力する文字／グラフィック混合表示制御回路とを具備し、
　前記ＬＣＤパネルは複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けてＬＣＤパネルの各領域に対して文字またはグラフィックを選択的に表示させ、
　さらに前記グラフィックイメージデータＲＡＭは、前記ＬＣＤパネルの各領域毎にグラフィックイメージデータを貯蔵して、ＬＣＤパネルの各領域毎にグラフィックを表示させることができる
ことを特徴とするグラフィック及び文字混用ＬＣＤ駆動ＩＣ。」
　を、
「【請求項１】　完成型文字のフォントデータを貯蔵する文字フォントＲＯＭと、
　前記文字フォントＲＯＭに貯蔵されたフォントデータに対応するアドレスを貯蔵する文字表示データＲＡＭと、
　グラフィックイメージデータを貯蔵するグラフィックイメージデータＲＡＭと、
　グラフィック及び文字に対する選択情報を貯蔵するプロパティレジスタと、
　前記文字フォントＲＯＭから出力されるフォントデータと前記グラフィックイメージデータＲＡＭから出力されるグラフィックイメージデータを受けて、前記プロパティレジスタの出力に応答してＬＣＤパネルに示される最終データを選択して出力する文字／グラフィック混合表示制御回路とを具備し、
　前記ＬＣＤパネルは複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けてＬＣＤパネルの各領域に対して文字またはグラフィックを選択的に表示させ、
　前記グラフィックイメージデータＲＡＭは、前記ＬＣＤパネルの分割された各領域毎に個別にグラフィックイメージデータを貯蔵して、ＬＣＤパネルの分割された各領域毎に個別にグラフィックを表示させることができ、
　前記プロパティレジスタに貯蔵される選択情報の数は前記文字フォントＲＯＭに貯蔵される前記フォントの大きさによって決まり、前記ＬＣＤパネルは前記フォントの最大大きさに等分される
ことを特徴とするグラフィック及び文字混用ＬＣＤ駆動ＩＣ。」
　と補正する内容を含むものである。
　
（２）補正の目的の適合性
　本件補正により、請求項１に記載された発明特定事項である「グラフィックイメージデータＲＡＭ」に関して、「前記ＬＣＤパネルの
分割された
個別に
分割された
個別に
　
（３）独立特許要件
　本件補正後の請求項１ないし３に係る発明は、平成１８年９月２１日付けの手続補正により補正された明細書及び図面の記載からみて、その特許請求の範囲の請求項１ないし３に記載された事項により特定されるとおりのものと認められるところ、その請求項１に係る発明は、以下のとおりである。
「【請求項１】　完成型文字のフォントデータを貯蔵する文字フォントＲＯＭと、
　前記文字フォントＲＯＭに貯蔵されたフォントデータに対応するアドレスを貯蔵する文字表示データＲＡＭと、
　グラフィックイメージデータを貯蔵するグラフィックイメージデータＲＡＭと、
　グラフィック及び文字に対する選択情報を貯蔵するプロパティレジスタと、
　前記文字フォントＲＯＭから出力されるフォントデータと前記グラフィックイメージデータＲＡＭから出力されるグラフィックイメージデータを受けて、前記プロパティレジスタの出力に応答してＬＣＤパネルに示される最終データを選択して出力する文字／グラフィック混合表示制御回路とを具備し、
　前記ＬＣＤパネルは複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けてＬＣＤパネルの各領域に対して文字またはグラフィックを選択的に表示させ、
　前記グラフィックイメージデータＲＡＭは、前記ＬＣＤパネルの分割された各領域毎に個別にグラフィックイメージデータを貯蔵して、ＬＣＤパネルの分割された各領域毎に個別にグラフィックを表示させることができ、
　前記プロパティレジスタに貯蔵される選択情報の数は前記文字フォントＲＯＭに貯蔵される前記フォントの大きさによって決まり、前記ＬＣＤパネルは前記フォントの最大大きさに等分される
ことを特徴とするグラフィック及び文字混用ＬＣＤ駆動ＩＣ。」（以下、「本件補正発明」という。）
　
　そこで、本件補正発明が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下検討する。
　
（４）引用例に記載された発明
　原査定の拒絶の理由で引用され、本願の優先権主張の日前に頒布された刊行物である特開昭６０−６７９８８号公報（以下、「引用例１」という。）には、図面とともに、次の事項が記載されている。
　
（ア）「本発明は、操作者が入力手段を通じて入力した文字の文字コードが文字メモリに格納されるたびに該文字コードが発生せしめる文字ドットパターンと対応する画像パターンとの合成条件を指定する合成コードが該文字コードと１対１対応に格納される合成メモリを設け、合成メモリから読み出された合成コードが指示する合成条件に従って文字ドットパターンと対応する画像パターンとを合成して表示する画像表示装置を特徴とする。」（公報第２頁右下欄第１４行−第３頁左上欄第３行。）
　
（イ）「第２図は、本発明の一実施例である画像表示装置の構成を示す図である。第２図において、第１図と同じ番号が付されたものは、第１図と同じ機能をもったものである。合成メモリ（Ｍ３）１３は、本発明により付加されるものであり、画像メモリ（Ｍ１）１１内の画像パターンと文字メモリ（Ｍ２）１２の文字コードから得られる文字ドットパターンとを合成するに際し、制御情報を与えるものであり、表示される各文字コードに対応して合成コードが格納される。合成回路（ＣＰＮ）３’は、合成メモリ（Ｍ３）１３中の合成コードに従って上記のように画像パターンと文字ドットパターンとを合成する回路である。キーボド９’はキーボード９’に対して合成キーと削除キー（ともに図示せず）とが追加されたキーボードである。合成キーは、合成メモリ（Ｍ３）１３を使った画像パターンと文字ドットパターンとの合成を指示するキーである。削除キーは、後述するようにカーソルによって指定された位置について、文字メモリ（Ｍ２）１２の内容および対応する合成メモリ（Ｍ３）１３の内容をクリアするよう指示するキーである。
　次に合成コードについて説明する。合成コードは、文字メモリ（Ｍ２）１２中の表示されるべき文字コードに対応している。各合成コードのサイズは１ビットでもよく、また２ビット以上であってもよい。合成コードが１ビットの場合には、合成コード”０”によって画像パターンを選択して表示することを示し、合成コード”１”によって文字ドットパターンを選択して表示することを示すのか適切である。」（公報第３頁左上欄第７行−同頁右上欄第１７行。）
　
（ウ）「次に本実施例の動作について説明する。処理装置（ＰＵ）７が画像パターン変換器（ＡＤＣ）６に画像パターンの読み取りを指令すると、カメラ（ＶＩＤ）５が写し取った画像を画像パターンに変換し、画像メモリ（Ｍ１）１１に書き込む。このとき合成メモリ（Ｍ３）１３および文字メモリ（Ｍ２）１２はクリアされている。これにより合成回路（ＣＰＮ）３’は、画像メモリ（Ｍ１）１１の内容を輝度変調器（ＭＯＤ）２を通して表示装置（ＣＲＴ）１の画面上に表示する。次に操作者がキーボード（ＫＢ）９により合成キー押下の下で文字入力キーを操作することにより、文字メモリ、（Ｍ２）１２の所望の入力位置には文字コードが書き込まれ、合成メモリ（Ｍ３）上のこの文字コードに対応する位置には合成コードが書き込まれる、書き込まれる合成コードは、１ビット・コードのばあいには”１”であり、・・・・・。」（公報第３頁左下欄第１０行−同頁右下欄第６行。）
　
（エ）「文字メモリ（Ｍ２）１２に格納されている文字コードは、文字パターン発生器（ＣＧ）４を通して、表示装置（ＣＲＴ）１の走査に同期して、順次に文字コードを文字パターンに変換されるようになっている。
　合成メモリ（Ｍ３）１３の内容も表示装置（ＣＲＴ）１の走査に同期して読み出され、合成回路（ＣＰＮ）３’に送り込まれる。合成回路（ＣＰＮ）３’は、合成メモリ（Ｍ３）１３から読み出される合成コードに従って、画像パターンと文字パターンとを合成し、輝度変調器（ＭＯＤ）２に送り込むようになっている。」（公報第３頁右下欄第１５行−第４頁左上欄第６行。）
　
（オ）「第５図は表示装置（ＣＲＴ）１の表示画面がＮ文字に分割され、１〜Ｎ番地に番地付けされていることを示している。合成メモリ（Ｍ３）１３はこのＮ箇の画素に対応し、それぞれ合成コードが指定できるようになっている。
　第６図は１画素がｎ行×ｐ列のドットマトリクスから構成されていることを示している。文字パターン発生器（ＣＧ）４は文字コードに対応してｎ行×ｐ列のドットパターンを発生させるようになっている。」（公報第４頁右上欄第４行−同頁右上欄第８行。）
　
　上記摘記事項（エ）から、文字メモリ（Ｍ２）１２に格納されている文字コードを文字パターンに変換する文字パターン発生器（ＣＧ）４を、読み取ることができる。
　
　上記摘記事項（エ）から、文字パターン発生器（ＣＧ）４内の文字パターンに対応する文字コードを格納してなる文字メモリ（Ｍ２）１２を、読み取ることができる。
　
　上記摘記事項（ウ）から、カメラ（ＶＩＤ）５が写し取った画像を画像パターンに変換し格納する画像メモリ（Ｍ１）１１を、読み取ることができる。
　
　上記摘記事項（イ）及び（エ）から、画像パターン及び文字パターンに対する選択のための１又は０の合成コードを格納する合成メモリ（Ｍ３）１３を、読み取ることができる。
　
　上記摘記事項（イ）及び（エ）から、文字パターン発生器（ＣＧ）４から出力される文字パターンと画像メモリ（Ｍ１）１１から出力される画像パターンとを受けて、合成メモリ（Ｍ３）１３から読み出される１又は０の合成コードに従って表示装置（ＣＲＴ）１に表示されるパターンを選択して出力する合成回路（ＣＰＮ）３’を、読み取ることができる。
　
　上記摘記事項（イ）及び（オ）並びに第５図から、表示装置（ＣＲＴ）１の表示画面がＮ文字に対応したＮ箇の画素に分割され、このＮ箇の画素の各々に対応した合成コードを合成メモリ（Ｍ３）１３が貯蔵し、その合成メモリ（Ｍ３）１３から出力される各画素に対応した１又は０の合成コードを合成回路（ＣＰＮ）３’が受けて表示装置（ＣＲＴ）１の各画素に対して文字パターン又は画像パターンを選択的に表示することを、読み取ることができる。
　
　上記摘記事項（イ）及び（ウ）、（オ）から、画像メモリ（Ｍ１）１１は表示装置（ＣＲＴ）１の画素に対応した画像パターンを格納し、表示装置（ＣＲＴ）１の各画素毎に個別に画像パターンを表示させることができることを、読み取ることができる。
　
　上記摘記事項（イ）及び（オ）から、合成メモリ（Ｍ３）１３に格納される１又は０の合成コードの数Ｎは、文字パターン発生器（ＣＧ）４が発生する文字パターンの大きさによって決まり、表示装置（ＣＲＴ）１は文字パターンの１画素の大きさに等分されていることを、読み取ることができる。
　
　上記摘記事項（ア）ないし（オ）から、画像パターン及び文字パターンを選択して表示するための駆動回路を、読み取ることができる。
　
　したがって、上記摘記事項（ア）ないし（オ）並びに図面の記載からみて、引用例１には、以下の発明が記載されているものと認められる。　
「文字メモリ（Ｍ２）１２に格納されている文字コードを文字パターンに変換する文字パターン発生器（ＣＧ）４と、
　文字パターン発生器（ＣＧ）４内の文字パターンに対応する文字コードを格納してなる文字メモリ（Ｍ２）１２と、
　カメラ（ＶＩＤ）５が写し取った画像を画像パターンに変換し格納する画像メモリ（Ｍ１）１１と、
　画像パターン及び文字パターンに対する選択のための１又は０の合成コードを格納する合成メモリ（Ｍ３）１３と、
　文字パターン発生器（ＣＧ）４から出力される文字パターンと画像メモリ（Ｍ１）１１から出力される画像パターンとを受けて、合成メモリ（Ｍ３）１３から読み出される１又は０の合成コードに従って表示装置（ＣＲＴ）１に表示されるパターンを選択して出力する合成回路（ＣＰＮ）３’とを備え、
　表示装置（ＣＲＴ）１の表示画面がＮ文字に対応したＮ箇の画素に分割され、このＮ箇の画素の各々に対応した合成コードを合成メモリ（Ｍ３）１３が貯蔵し、その合成メモリ（Ｍ３）１３から出力される各画素に対応した１又は０の合成コードを合成回路（ＣＰＮ）３’が受けて表示装置（ＣＲＴ）１の各画素に対して文字パターン又は画像パターンを選択的に表示し、
　画像メモリ（Ｍ１）１１は表示装置（ＣＲＴ）１の画素に対応した画像パターンを格納し、表示装置（ＣＲＴ）１の各画素毎に個別に画像パターンを表示させることができ、
　合成メモリ（Ｍ３）１３に格納される１又は０の合成コードの数Ｎは、文字パターン発生器（ＣＧ）４が発生する文字パターンの大きさによって決まり、表示装置（ＣＲＴ）１は文字パターンの１画素の大きさに等分されてなる
　画像パターン及び文字パターンを選択して表示するための駆動回路。」（以下、「引用発明」という。）
　
（５）対比
　本件補正発明と引用発明とを対比する。
（ア）引用発明の「文字パターン発生器（ＣＧ）４」は、本件補正発明の「文字フォントＲＯＭ」と、フォントデータを貯蔵するとの限りにおいて一致することから、「文字メモリ（Ｍ２）１２に格納されている文字コードを文字パターンに変換する文字パターン発生器（ＣＧ）４」は、本件補正発明の「完成型文字のフォントデータを貯蔵する文字フォントＲＯＭ」と「フォントデータを貯蔵する機能回路」との限りにおいて一致する。
（イ）引用発明の「文字メモリ（Ｍ２）１２」は、文字パターンに対応する文字コードを格納し、該文字コードを用いて文字パターン発生器（ＣＧ）４にアクセスしていることから、引用発明の「文字パターン発生器（ＣＧ）４内の文字パターンに対応する文字コードを格納してなる文字メモリ（Ｍ２）１２」は、本件補正発明の「前記文字フォントＲＯＭに貯蔵されたフォントデータに対応するアドレスを貯蔵する文字表示データＲＡＭ」と、「前記機能回路に貯蔵されたフォントデータに対応する情報を貯蔵する文字表示データＲＡＭ」との限りにおいて一致する。
（ウ）引用発明の「画像メモリ（Ｍ１）１１」は、本件補正発明の「グラフィックイメージデータＲＡＭ」に相当するから、引用発明の「カメラ（ＶＩＤ）５が写し取った画像を画像パターンに変換し格納する画像メモリ（Ｍ１）１１」は、本件補正発明の「グラフィックイメージデータを貯蔵するグラフィックイメージデータＲＡＭ」に相当する。
（エ）引用発明の「合成メモリ（Ｍ３）１３」は、本件補正発明の「プロパティレジスタ」に相当し、同様に「１又は０の合成コード」は、「選択情報」に相当するから、引用発明の「画像パターン及び文字パターンに対する選択のための１又は０の合成コードを格納する合成メモリ（Ｍ３）１３」は、本件補正発明の「グラフィック及び文字に対する選択情報を貯蔵するプロパティレジスタ」に相当する。
（オ）引用発明の「合成回路（ＣＰＮ）３’」は、本件補正発明の「文字／グラフィック混合表示制御回路」に相当し、引用発明の「表示装置（ＣＲＴ）１」は、本件補正発明の「ＬＣＤパネル」の上位概念であることから、引用発明の「文字パターン発生器（ＣＧ）４から出力される文字パターンと画像メモリ（Ｍ１）１１から出力される画像パターンとを受けて、合成メモリ（Ｍ３）１３から読み出される１又は０の合成コードに従って表示装置（ＣＲＴ）１に表示されるパターンを選択して出力する合成回路（ＣＰＮ）３’」は、本件補正発明の「前記文字フォントＲＯＭから出力されるフォントデータと前記グラフィックイメージデータＲＡＭから出力されるグラフィックイメージデータを受けて、前記プロパティレジスタの出力に応答してＬＣＤパネルに示される最終データを選択して出力する文字／グラフィック混合表示制御回路」と、「前記フォントデータを貯蔵する機能回路から出力されるフォントデータと前記グラフィックイメージデータＲＡＭから出力されるグラフィックイメージデータを受けて、前記プロパティレジスタの出力に応答して表示装置に示される最終データを選択して出力する文字／グラフィック混合表示制御回路」との限りにおいて一致する。
（カ）引用発明の「Ｎ文字に対応したＮ箇の画素」は、本件補正発明の「複数の領域」に相当することから、引用発明の「表示装置（ＣＲＴ）１の表示画面がＮ文字に対応したＮ箇の画素に分割され、このＮ箇の画素の各々に対応した合成コードを合成メモリ（Ｍ３）１３が貯蔵し、その合成メモリ（Ｍ３）１３から出力される各画素に対応した１又は０の合成コードを合成回路（ＣＰＮ）３’が受けて表示装置（ＣＲＴ）１の各画素に対して文字パターン又は画像パターンを選択的に表示し」は、本件補正発明の「前記ＬＣＤパネルは複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けてＬＣＤパネルの各領域に対して文字またはグラフィックを選択的に表示させ」と、「前記表示装置は複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けて前記表示装置の各領域に対して文字またはグラフィックを選択的に表示させ」との限りにおいて一致する。
（キ）引用発明の「画像メモリ（Ｍ１）１１は表示装置（ＣＲＴ）１の画素に対応した画像パターンを格納し、表示装置（ＣＲＴ）１の各画素毎に個別に画像パターンを表示させることができ」は、本件補正発明の「前記グラフィックイメージデータＲＡＭは、前記ＬＣＤパネルの分割された各領域毎に個別にグラフィックイメージデータを貯蔵して、ＬＣＤパネルの分割された各領域毎に個別にグラフィックを表示させることができ」と「前記グラフィックイメージデータＲＡＭは、表示装置のグラフィックイメージデータを貯蔵して、前記表示装置の分割された各領域毎に個別にグラフィックを表示させることができ」との限りにおいて一致する。
（ク）引用発明の「合成メモリ（Ｍ３）１３に格納される１又は０の合成コードの数Ｎは、文字パターン発生器（ＣＧ）４が発生する文字パターンの大きさによって決まり、表示装置（ＣＲＴ）１は文字パターンの１画素の大きさに等分されてなる」は、本件補正発明の「前記プロパティレジスタに貯蔵される選択情報の数は前記文字フォントＲＯＭに貯蔵される前記フォントの大きさによって決まり、前記ＬＣＤパネルは前記フォントの最大大きさに等分される」と、「前記プロパティレジスタに貯蔵される選択情報の数は前記機能回路に貯蔵される前記フォントの大きさによって決まり、前記表示装置は前記フォントの大きさに等分される」との限りにおいて一致する。
（ケ）引用発明の「駆動回路」は、本件補正発明の「駆動ＩＣ」の上位概念であることから、引用発明の「画像パターン及び文字パターンを選択して表示するための駆動回路」は、本件補正発明の「グラフィック及び文字混用ＬＣＤ駆動ＩＣ」と、「グラフィック及び文字混用ＬＣＤ駆動ＩＣ」と「グラフィック及び文字混用表示装置駆動回路」との限りにおいて一致する。
　
　したがって、本件補正発明と引用発明の両者は、 以下の一致点で一致し、以下の相違点で相違する。
　
＜一致点＞
「フォントデータを貯蔵する機能回路と、
　前記機能回路に貯蔵されたフォントデータに対応する情報を貯蔵する文字表示データＲＡＭと、
　グラフィックイメージデータを貯蔵するグラフィックイメージデータＲＡＭと、
　グラフィック及び文字に対する選択情報を貯蔵するプロパティレジスタと、
　前記フォントデータを貯蔵する機能回路から出力されるフォントデータと前記グラフィックイメージデータＲＡＭから出力されるグラフィックイメージデータを受けて、前記プロパティレジスタの出力に応答して表示装置に示される最終データを選択して出力する文字／グラフィック混合表示制御回路とを具備し、
　前記表示装置は複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けて前記表示装置の各領域に対して文字またはグラフィックを選択的に表示させ、
　前記グラフィックイメージデータＲＡＭは、表示装置のグラフィックイメージデータを貯蔵して、前記表示装置の分割された各領域毎に個別にグラフィックを表示させることができ、
　前記プロパティレジスタに貯蔵される選択情報の数は前記機能回路に貯蔵される前記フォントの大きさによって決まり、前記表示装置は前記フォントの大きさに等分される
グラフィック及び文字混用表示装置駆動回路。」
　
＜相違点１＞
　フォントデータを貯蔵する機能回路として、本件補正発明においては「完成型文字のフォントデータを貯蔵する文字フォントＲＯＭ」を具備しているのに対して、引用発明では、「文字メモリ（Ｍ２）１２に格納されている文字コードを文字パターンに変換する文字パターン発生器（ＣＧ）４」を具備している点。
　
＜相違点２＞
　文字表示データＲＡＭが、本件補正発明においては「文字フォントＲＯＭに貯蔵されたフォントデータに対応するアドレスを貯蔵」するのに対して、引用発明では、そのように限定されていない点。
　
＜相違点３＞
　フォントデータとグラフィックイメージデータを受けて、プロパティレジスタの出力に応答する最終データが示される表示装置が、本件補正発明においては、「ＬＣＤパネル」であるのに対して、引用発明では、そのように限定されていない点。
　
＜相違点４＞
　グラフィックイメージデータＲＡＭが、本件補正発明においては、「ＬＣＤパネルの分割された各領域毎に個別にグラフィックイメージデータを貯蔵」しているのに対して、引用発明では、そのように限定されていない点。
　
＜相違点５＞
　プロパティレジスタに貯蔵される選択情報の数について、本件補正発明においては、「文字フォントＲＯＭに貯蔵される前記フォントの大きさによって決ま」るのに対して、引用発明では、「文字パターン発生器（ＣＧ）４に貯蔵される前記フォントの大きさによって決ま」る点。
　
＜相違点６＞
　本件補正発明においては、「ＬＣＤパネルは前記フォントの最大大きさに等分され」ているのに対して、引用発明では、そのように限定されていない点。
　
＜相違点７＞
　本件補正発明の対象は、「グラフィック及び文字混用ＬＣＤ駆動ＩＣ」であるのに対して、引用発明の対象は、そのように限定されていない点。
　
（６）判断
　上記相違点１及び２について検討する。
　本願の優先権主張の日前に頒布された刊行物である特開平８−２７２３４０号公報（以下、「周知例１」という。）には、図面とともに、次の事項が記載されている。
（ア）「【０００１】
【産業上の利用分野】この発明は、携帯情報端末等の表示手段に利用される液晶駆動装置、特に文字フォントＲＯＭからフォントデータを読みだし、マトリクス状の表示装置に文字を表示させるための液晶駆動装置およびそれを用いた携帯機器に関する。
【０００２】
【従来の技術】文字フォントＲＯＭを含む液晶駆動装置は、一般的に表示ＲＡＭの特定のアドレスに任意の文字コードを書き込むことにより、液晶表示の特定の位置に任意の文字を表示する。
【０００３】表示ＲＡＭからは、表示のタイミングに合わせて文字コードが読み出され、文字フォントＲＯＭ（以下ＣＧＲＯＭと称する）に入力され、文字フォントデータが表示装置に送られる。この一連の動きを図２を用いて説明する。液晶駆動装置は、一般的にＣＰＵから表示の制御を受ける。その入り口がＣＰＵインターフェース９であり、ＣＰＵはＣＰＵインターフェース９を通じて表示ＲＡＭ１０に表示する内容を書き込む。表示画面の特定の位置に対応した特定のアドレスに文字コードを書き込むというものである。表示ＲＡＭ１０からは、タイミング制御回路８によって定期的に文字コードが読み出され、ＣＧＲＯＭ１１に入力される。タイミング制御回路８では、コモンタイミングを生成し、コモンドライバー１３にコモンタイミング情報を送り込む。
【０００４】タイミング制御回路８は、ＣＧＲＯＭ１１に対してもコモンタイミング情報を送り込み、ＣＧＲＯＭ１１は表示ＲＡＭ１０からの文字コードと、コモンタイミング情報の両信号によって、出力すべき文字フォントのデータを決定する。ＣＧＲＯＭ１１からの文字フォントデータは、シフトラッチ回路１２へと送られ、シフトラッチ回路１２は表示画面の横一行分の表示データが揃うまでデータシフトを行い、シフト結果を表示データとしてセグメントドライバー１４に送り出す。
【０００５】シフトラッチ回路１２の例を図３に示す。ＣＧＲＯＭ１１から出力される文字フォントデータは１文字ごとであるから、例えば図４のように４文字を表示する場合には、１回のコモンタイミング（横一行分）で、ＣＧＲＯＭ１１は４回以上アクセスされる。」
　
　上記周知例１の記載事項によれば、フォントデータを貯蔵するものとして、文字フォントＲＯＭを使用する技術は、周知技術にすぎない。そして、上記段落【０００３】における「表示ＲＡＭからは、表示のタイミングに合わせて文字コードが読み出され、文字フォントＲＯＭ（以下ＣＧＲＯＭと称する）に入力され、文字フォントデータが表示装置に送られる」との記載を参酌するに、文字フォントＲＯＭが、完成型文字のフォントデータを貯蔵していることは技術的に明白である。また、表示ＲＡＭから読み出される文字コードが、文字フォントＲＯＭに対するアドレスとなっていることも、技術的に明らかである。
　してみると、引用発明における、フォントデータを貯蔵するための機能回路として文字パターン発生器（ＣＧ）に代えて、文字フォントＲＯＭを採用し、該文字フォントＲＯＭをアクセスするために文字表示データＲＡＭにアドレスを記憶させる構成を採用することに特段の困難性はない。
　
　よって、上記相違点１及び２に係る本件補正発明の発明特定事項は、引用発明に上記周知技術を適用することにより当業者が容易に想到し得たものである。
　
　上記相違点３、６、７について検討する。
　原査定の拒絶の理由で引用され、本願の優先権主張の日前に頒布された刊行物である特開平４−３２３６９１号公報（以下、「周知例２」という。）には、図面とともに、次の事項が記載されている。
（イ）「【０００１】
【産業上の利用分野】この発明は、ＬＣＤ表示装置を備えたパーソナルコンピュータ，オフィスコンピュータ，ワードプロセッサ等の情報処理装置において、グラフィック表示及びキャラクタ表示等を合成して行なう場合の表示制御装置に関する。
【０００２】
【従来の技術】このような従来の表示制御装置では、画像メモリであるグラフィックメモリ及びキャラクタメモリ等からそれぞれ必要なグラフィック表示データ及びキャラクタ表示データ等を、常にＬＣＤ表示装置が要求するフレーム周波数でリードしながら、それをＬＣＤ表示装置へ出力する表示データ（ＬＣＤデータ）に加工・合成するようにしているので、常にグラフィックメモリ及びキャラクタメモリ（コードメモリ，属性メモリ，フォントメモリ等）等を読み続けている。
【０００３】例えば、図９に示すような表示制御装置において、ＣＰＵがＣＰＵＩ／Ｆ１を介してグラフィックＲＡＭ２，テキストＲＡＭ３，キャラクタジェネレータ（ＣＧ）ＲＯＭ４，外字ＲＡＭ５がアサインされているメモリ空間にアクセスする信号を送ると、ＬＣＤコントローラ６′は、図示しない発振器の発生するクロックを基準にして、グラフィックＲＡＭ２及びテキストＲＡＭ３等にそれぞれ記憶されている表示データを常時リードする。
【０００４】それがグラフィック表示の場合は、グラフィック表示データ（ＬＣＤデータ）としてそのままデータバス７を介してＬＣＤパネル８へ出力する。また、テキスト表示の場合はＣＧＲＯＭ４又は外字ＲＡＭ５を使用してキャラクタ表示データに変換し、それをＬＣＤデータとしてＬＣＤパネル８へ出力する。」
　
　上記周知例２の記載事項によれば、グラフィック表示データとキャラクタ表示データとを加工・合成して表示するための装置において、ＬＣＤパネルを用いることは、周知技術にすぎない。
　してみると、引用発明における、表示装置（ＣＲＴ）１に代えて、ＬＣＤパネル採用することに特段の困難性はない。
　
　さらに、相違点６に関して、引用例１には、表示装置が文字パターンの最大大きさに等分されているとの明確な記載はないが、ｎ行×ｐ列のドットマトリクスを用いて１画素を形成するような画像表示装置においては、該１画素が、文字パターンの最大大きさに対応していることは、技術的に明白な事項である。
　
　また、相違点７に関して、電子回路に関する技術一般において、駆動回路をＩＣ化することは、実施時において当業者が適宜に行う設計的事項にすぎない。
　
　よって、上記相違点３、６、７に係る本件補正発明の発明特定事項は、引用発明に上記周知技術を適用することにより当業者が容易に想到し得たものである。
　
　上記相違点４について検討する。
　ＬＣＤパネルに関する事項に関しては、上述した「相違点３、６、７」の項において既に検討済みである。
　本願の優先権主張の日前に頒布された刊行物である特開昭５８−５７８３号公報（以下、「周知例３」という。）には、図面とともに、次の事項が記載されている。
（ウ）「レイアウトメモリ５は、レイアウト情報を記憶保持するメモリであり、データメモリ６は、キヤラクタの表示データをデータコードで記憶するメモリで、従来のデイスプレイ装置に使用されているデータメモリと同様のものである。また、イメージメモリ７は、図形等の画像パターンのパターン形成部を論理”１”で記憶するメモリである。
　キヤラクタジエネレータ８は、データコードをキヤラクタパターン信号に変換するもので、１キヤラクタブロックが横×横＝３２×３２（ビット）の場合には、キヤラクタ間のスペースを除く、例えば２７×２７（ビット）とか３０×３０（ビット）で１キヤラクタを表示し、スペースを含む３２×３２（ビット）のビデオ信号を発生させる。
　レイアウトコントローラ９は、レイアウトメモリ５からのイメージ情報に従って制御信号ＳＡ〜ＳＣを出力し、データメモリ６、イメージメモリ７、および選択回路１０をコントロールする。
　選択回路１０は、キヤラクタパターンと画像パターンの選択または混合を行う。」（公報第２頁左下欄第１４行−同頁右下欄第１６行。）
　
（エ）「次の第６図は、イメージメモリ７に記憶される画像データの配列例を示す。
　イメージメモリ７は、各キヤラクタブロックに対応しており、さらに各キヤラクタブロックは３２×３２ビットで構成される。そして、画像パターンを形成する位置のビットは、輝点を示す論理”１”とされ、それ以外のビットは、非輝点を示す論理”０”とされる。」（公報第３頁右下欄第６行−第１３行。）
　
　本願の優先権主張の日前に頒布された刊行物である特開昭５９−１８７３９３号公報（以下、「周知例４」という。）には、図面とともに、次の事項が記載されている。
（オ）「（ロ）従来技術
ＣＲＴ表示装置の表示モードには文字・記号等をコード化しメモリに格納すると共に斯るコード（以下文字コードと称す）をキヤラクタジエネレータ等により対応した文字・記号等の画像情報（ドツトパターン）に変換して出力表示するキヤラクタモードと文字・記号等を画像情報（ドツトパターン）の形でそのまま記憶装置に格納し、上記キヤラクタジエネレータ等を一切介さず記憶装置に格納されている画像情報をそのまま出力表示するグラフイツクモードとがある。尚、本明細書中ではグラフイツクモードにおける各文字・記号等を表わすドツトの集合体をドツトマツプと称する。
　現在、文字・記号等と図形とを混在させて表示させるために、上記キヤラクタモードとグラフイツクモードとを共に兼ね備えた表示装置が実用化されている。
　従来のこの種装置では、文字コードを格納するメモリ、キヤラクタジエネレータ等からなるキヤラクタモード用回路とドットマップを格納するメモリ等からなるグラフイツクモード用回路とを備え、各々の回路から得られる画像情報を選択的に表示している。
　然るにこのように文字コード格納用とドツトマツプ格納用とのメモリを個々に有することは非常に不経済であり、また回路的にも複雑となるという問題がある。」（公報第１頁右下欄第３行−第２頁左上欄第９行。）
　
（カ）「（ホ）実施例
　第２図は本発明の一実施例を示し、（１１）は例えばＲＡＭ（ラムダム・アクセス・メモリ）からなる記憶部であり、該記憶部は従来のグラフイツクモード回路に用いられていたメモリである。具体的には今文字・記号等を第３図に示す如く８×８のドツトマトリクスで表現すると、斯る文字のドツトマツプは第４図に示す如く少なくとも８×８ビットからなるデータ格納領域（１２）とＭＳＢ格納領域（１３）とからなり、一つのメモリアドレスＭＡで指示される一メモリ（以下単にメモリ単位（１４）と称する）内のデータ格納領域（１２）内に格納される。尚、第４図中第３図における黒色部分は”１”で、白色部分は”０”で夫々表現されている。
　また上記データ格納領域（１２）には上記ドツトマツプ以外に第５図に示す如く文字・記号等をコード化してなる例えばＡＳＣＩＩコード等も格納される。」（公報第２頁右上欄第１２行−同頁左下上欄第９行。）
　
　上記周知例３の記載事項や、上記周知例４における実施例の記載を参酌して明確となる従来技術によれば、画像パターンとキヤラクタパターンとを混合して１画面上へ同時に表示する技術において、図形等の画像パターンを記憶するイメージメモリ７又はドツトマツプ格納用メモリを、各キヤラクタブロックやドツトマツプに対応させて設けることは、周知技術にすぎない。さらに、例えば、上記周知例３において、各キヤラクタブロック毎に、キヤラクタパターンと画像パターンの選択または混合が行われていることから、イメージメモリ７がデイスプレイ装置の分割された各キヤラクタブロック毎に個別に画像パターンを記憶できることは技術的に明白である。
　よって、引用発明における画像メモリ（Ｍ１）１１に代えて、上記周知例３又は４に示されたデイスプレイ装置の分割された各キヤラクタブロック毎に個別に画像パターンを記憶できるメモリを採用することに特段の困難性はない。
　
　したがって、上記相違点４に係る本件補正発明の発明特定事項は、引用発明に上記周知技術を適用することにより当業者が容易に想到し得たものである。
　
　上記相違点５について検討する。
　上記相違点５は、上記相違点１に付随する相違点であるから、上記相違点５に係るプロパティレジスタに貯蔵される選択情報の数が、文字フォントＲＯＭに貯蔵されるフォントの大きさによって決まることは、上記周知例１から技術的に明白な事項である。
　
　よって、上記相違点５に係る本件補正発明の発明特定事項は、引用発明に上記周知例１に示された周知技術を適用することにより当業者が容易に想到し得たものである。
　
　そして、本件補正発明の奏する効果も、引用例１の記載及び周知例１ないし４に記載された事項から当業者が予測可能な範囲内のものである。
　したがって、本件補正発明は、引用発明及び周知技術に示された技術に基づいて当業者が容易に発明をすることができたものである。
　
（７）独立特許要件についてのむすび
　したがって、本件補正発明は、引用発明及び周知技術に基づいて当業者が容易に発明をすることができたものであるから、特許法第２９条第２項の規定により、特許出願の際独立して特許を受けることができないものである。
　
（８）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下すべきものである。
 　
３　本願発明
　平成１８年９月２１日付けの手続補正は上記のとおり却下されたので、本願の請求項１ないし４に係る発明は、平成１８年４月１３日付け手続補正書の特許請求の範囲の請求項１ないし４に記載された事項により特定されるとおりのものと認められるところ、その請求項１に記載された発明（以下「本願発明」という。）は、次のとおりである。
「【請求項１】　完成型文字のフォントデータを貯蔵する文字フォントＲＯＭと、
　前記文字フォントＲＯＭに貯蔵されたフォントデータに対応するアドレスを貯蔵する文字表示データＲＡＭと、
　グラフィックイメージデータを貯蔵するグラフィックイメージデータＲＡＭと、
　グラフィック及び文字に対する選択情報を貯蔵するプロパティレジスタと、
　前記文字フォントＲＯＭから出力されるフォントデータと前記グラフィックイメージデータＲＡＭから出力されるグラフィックイメージデータを受けて、前記プロパティレジスタの出力に応答してＬＣＤパネルに示される最終データを選択して出力する文字／グラフィック混合表示制御回路とを具備し、
　前記ＬＣＤパネルは複数の領域に分割され、この複数の領域の各々に対応して前記選択情報を前記プロパティレジスタが貯蔵し、そのプロパティレジスタから出力される各領域の前記選択情報を前記文字／グラフィック混合表示制御回路が受けてＬＣＤパネルの各領域に対して文字またはグラフィックを選択的に表示させ、
　さらに前記グラフィックイメージデータＲＡＭは、前記ＬＣＤパネルの各領域毎にグラフィックイメージデータを貯蔵して、ＬＣＤパネルの各領域毎にグラフィックを表示させることができる
ことを特徴とするグラフィック及び文字混用ＬＣＤ駆動ＩＣ。」
　
４　引用例に記載された発明
　原査定の拒絶の理由で引用され、本願の優先権主張の日前に頒布された引用例１及びその引用発明は、「２（４）引用例に記載された発明」の項に記載したとおりである。
　
５　対比・判断
　本願発明は、上記「２（２）補正の目的の適合性」で検討した本件補正発明から、「前記ＬＣＤパネルの
分割された
個別に
分割された
個別に
　そうすると、本願発明の発明特定事項をすべて含み、さらに他の発明特定事項を付加したものに相当する本件補正発明が、上記「２（６）判断」に記載したとおり、引用発明及び周知技術に基づいて当業者が容易に発明をすることができたものであるから、本願発明も、同様に、引用発明及び周知技術に基づいて当業者が容易に発明をすることができたものである。
　
６　むすび
　以上のとおりであるから、本件出願の請求項１に係る発明（本願発明）は特許法第２９条第２項の規定により特許を受けることができないものであり、その余の請求項２ないし４に係る発明についての判断を示すまでもなく、本件出願は、拒絶をすべきものである。
　よって、結論のとおり審決する。